(57)【要約】【課題】  部品点数を増やすことなく、肘掛けを、簡単かつ迅速に着脱しうるとともに、肘掛けを装着したものと、しないものとのデザインの統一を図ることができるようにした椅子を提供する。【解決手段】  背杆５の下端部外側面に、内方を向く凹部１０を、また肘掛け６の下端部内面に、凹部１０に嵌合する凸部をそれぞれ設け、凹部１０の内端壁１０ａと、凸部を含む肘掛け６の下端部とに、互いに連通する複数のねじ挿通孔１１、２３を設け、それらのねじ挿通孔１１、２３に挿通した固定ねじ２７をもって、背杆５と肘掛け６とを、支基３に螺着しうるとともに、背杆５を単独でも、支基３に螺着しうるようにする。【選択図】    図２
2006325931.tif 000002
【特許請求の範囲】
【請求項１】
脚の上端に設けられ、座を支持する支基の両側端に、背凭れを支持する左右１対の背杆の下端部を固着するとともに、背杆の外側に、肘掛けを着脱自在に取り付けた椅子において、
前記背杆の下端部外側面に、内方を向く凹部を、また肘掛けの下端部内面に、前記凹部に嵌合する凸部を、それぞれ設け、かつ前記凹部の内端壁と、前記凸部を含む肘掛けの下端部とに、互いに連通する複数のねじ挿通孔を設け、それらのねじ挿通孔に挿通した固定ねじをもって、前記背杆と肘掛けとを、支基に螺着しうるようにするとともに、前記背杆を単独でも、支基に螺着しうるようにしたことを特徴とする椅子。
【請求項２】
肘掛けの下端部外側面に、複数のねじ挿通孔が内端壁に開口するようにした凹部を設けたことを特徴とする請求項１記載の椅子。
【請求項３】
肘掛けの凹部の開口部の形状と、背杆の凹部の開口部の形状とを同一とし、かつ同一のキャップをもって、背杆の凹部の開口部と肘掛けの凹部の開口部とを閉塞しうるようにしたことを特徴とする請求項２記載の椅子。
【請求項４】
背杆の凹部内に、複数のねじ挿通孔が開口する部分を仕切るリブを設け、かつ肘掛けの凸部に、前記凹部に嵌合したとき、前記リブが嵌合するようにした溝を設けたことを特徴とする請求項１〜３のいずれかに記載の椅子。
【請求項５】
肘掛けの凹部に、背杆の凹部内におけるのと同様のリブを設けるとともに、これらのリブを、各凹部の中央に設けたボス部から、複数の直線部が放射状に延出する形状とし、前記ボス部の遊端面に、キャップを止着するための固定ねじが螺合するねじ孔を設けたことを特徴とする請求項２または３のいずれかに従属する請求項４記載の椅子。
【発明の詳細な説明】
【技術分野】
【０００１】
本発明は、座を支持する支基の側端に、背凭れを支持する背杆だけでなく、肘掛けを着脱自在に取り付けるようにした椅子に関する。
【背景技術】
【０００２】
肘掛けを着脱自在に取り付けるようにした従来の椅子としては、例えば、座を支持する支基の側端と、その外側方に配設した脚との間に、肘掛けの下端部を挟み込んで取り付けるようにしたもの(例えば特許文献１参照)や、金属パイプ製の脚における左右の後足の上端開口部に、肘掛けの後端部に設けたジョイントを差し込んで、ねじ止めしたもの(例えば特許文献２参照)等がある。
【特許文献１】特開平１０−３２７９７７号公報
【特許文献２】特開２００３−１５９１５０号公報
【発明の開示】
【発明が解決しようとする課題】
【０００３】
しかし、特許文献１に記載されているものでは、肘掛けを後付けする場合に、脚を一旦支基から外し、支基と脚との間に、肘掛けの下端部を挟んで、締め付け直さなければならないので、その作業が煩雑である。
また、特許文献２に記載されているものでは、肘掛けを後付けする場合に、ジョイントその他の付属部品が必要であり、部品点数が多くなる。
【０００４】
本発明は、従来の技術が有する上記のような問題点に鑑み、部品点数を増やすことなく、肘掛けを、簡単かつ迅速に着脱しうるとともに、肘掛けを装着したものと、しないものとのデザインの統一を図ることができるようにした椅子を提供することを目的としている。
【課題を解決するための手段】
【０００５】
本発明によると、上記課題は、次のようにして解決される。
(１)  脚の上端に設けられ、座を支持する支基の両側端に、背凭れを支持する左右１対の背杆の下端部を固着するとともに、背杆の外側に、肘掛けを着脱自在に取り付けた椅子において、前記背杆の下端部外側面に、内方を向く凹部を、また肘掛けの下端部内面に、前記凹部に嵌合する凸部を、それぞれ設け、かつ前記凹部の内端壁と、前記凸部を含む肘掛けの下端部とに、互いに連通する複数のねじ挿通孔を設け、それらのねじ挿通孔に挿通した固定ねじをもって、前記背杆と肘掛けとを、支基に螺着しうるようにするとともに、前記背杆を単独でも、支基に螺着しうるようにする。
【０００６】
(２)  上記(１)項において、肘掛けの下端部外側面に、複数のねじ挿通孔が内端壁に開口するようにした凹部を設ける。
【０００７】
(３)  上記(２)項において、肘掛けの凹部の開口部の形状と、背杆の凹部の開口部の形状とを同一とし、かつ同一のキャップをもって、背杆の凹部の開口部と肘掛けの凹部の開口部とを閉塞しうるようにする。
【０００８】
(４)  上記(１)〜(３)項のいずれかにおいて、背杆の凹部内に、複数のねじ挿通孔が開口する部分を仕切るリブを設け、かつ肘掛けの凸部に、前記凹部に嵌合したとき、前記リブが嵌合するようにした溝を設ける。
【０００９】
(５)  上記(２)または(３)項のいずれかに従属する(４)項において、肘掛けの凹部に、背杆の凹部内におけるのと同様のリブを設けるとともに、これらのリブを、各凹部の中央に設けたボス部から、複数の直線部が放射状に延出する形状とし、前記ボス部の遊端面に、キャップを止着するための固定ねじが螺合するねじ孔を設ける。
【発明の効果】
【００１０】
本発明によると、次のような効果を奏することができる。
(ａ)  請求項１記載の発明によると、背杆を支基にねじ止めするために背杆に設けたねじ挿通孔や固定ねじを利用して、肘掛けを、背杆とともに支基に取り付けることができるので、部品点数を増やすことなく、肘掛けを、簡単かつ迅速に支基に取り付けることができるとともに、背杆の下端部外側面に設けた凹部に、肘掛けの下端部内面に設けた凸部を嵌合することにより、肘掛の支持強度を高めることができる。
【００１１】
(ｂ)請求項２記載の発明によると、肘掛けの下端部外側面にも、背杆に設けた凹部と同様の凹部を設けてあるので、肘掛けを取り付けたときも、固定ねじの頭部が凹部内に収容され、外部に突出しないので安全であり、また、肘掛けを取り付けたときの肘掛けの下端部の形状が、肘掛けを取り付けないときの背杆の下端部の形状と同様になるので、肘掛けを装着したものと、しないものとのデザインの統一を図ることができる。
【００１２】
(ｃ)請求項３記載の発明によると、肘掛けを取り付けたときの肘掛けの凹部の開口部と、肘掛けを取り付けないときの背杆の凹部の開口部とを、同一のキャップにより、閉塞することができるので、部品点数を増やす必要がなく、しかも、肘掛けを装着したものと、しないものとのデザインの統一を図ることができる。
【００１３】
(ｄ)請求項４記載の発明によると、背杆の凹部に肘掛けの凸部が嵌合するようにして、肘掛けを背杆の外側に装着したとき、背杆の凹部内に設けたリブが、肘掛けの凸部に設けた溝に嵌合することにより、凸部が回り止めされ、かつ凸部を中心とする肘掛けの回動が阻止され、肘掛の支持強度が高まる。また、リブを設けたことにより、凹部の強度が高まる。
【００１４】
(ｅ)請求項５記載の発明によると、肘掛けの凹部と背杆の凹部との両方にリブを設けたことにより、各凹部の強度が高まるだけでなく、いずれの凹部にキャップを取り付けたときも、キャップが安定して、かつ強固に取り付けられる。
【発明を実施するための最良の形態】
【００１５】
以下、本発明の一実施形態を、図面を参照して説明する。
図１に示すように、この椅子の基本構造は、脚(１)の上端に設けられ、座(２)を支持する支基(３)の両側端に、背凭れ(４)を支持する左右１対の背杆(５)(５)の下端部を固着するとともに、その外側に、肘掛け(６)(６)を着脱自在に取り付けたものよりなってる。
【００１６】
脚(１)は、先端部下面にキャスタ(７)を設けた５本の放射状の脚杆(８)の中央に、伸縮可能の脚柱(９)を立設したものよりなっている。
脚柱(９)の上端には、左右方向に長いほぼ中空円筒状とした支基(３)の中央部が支持されており、座(２)は、支基(３)の上面に固着されている。
【００１７】
図２〜図４に示すように、左右の背杆(５)(その一方のみを図示する)の下端部外側面には、内方を向く円形の凹部(10)が設けられており、その凹部(10)の内端壁(10a)には、左右方向を向く３個のねじ挿通孔(11)が、凹部(10)と同芯の円周上に等間隔をもって設けられている。
また、凹部(10)内には、中央のボス部(12a)から放射状に延出する３個の直線部(12b)が、３個のねじ挿通孔(11)が開口する部分を仕切るようしたリブ(12)が設けられている。
【００１８】
図４に示すように、背杆(５)の下端部内側面には、１個または複数個(この例では４個)の位置決めピン(13)が適宜の配置で突設されており、背杆(５)の下端部内側面を、支基(３)の側端に設けた端板(14)に正規の姿勢で当接させたとき、上記各位置決めピン(13)が、端板(14)の外側面に設けた位置決め孔(15)に嵌合するようになっている。
【００１９】
図１〜図４に示すように、肘掛け(６)は、若干前傾する肘掛け支柱(16)の上端に、前後方向を向くほぼ水平の肘当て(17)を設けた、側面視ほぼ倒立Ｌ字状をなし、肘掛け支柱(16)の下端部内面には、背杆(５)の凹部(10)と補形をなすほぼ円筒形の凸部(18)が設けられている。
【００２０】
図３に示すように、肘掛け支柱(16)の凸部(18)の外周には、背杆(５)の凹部(10)に嵌合したとき、凹部(10)内のリブ(12)の直線部(12a)が嵌合するようにした長手方向を向くスリット状の溝(19)が設けられている。
円筒形の凸部(18)の内面における各溝(19)の両側縁には、長手方向を向く補強用のリブ(20)(20)が互いに内向きに突設されている。
【００２１】
肘掛け支柱(16)の下端部外側面には、背杆(５)の凹部(10)と同形同寸をなす円形の凹部(21)が、内側面の凸部(18)と同芯をなすように設けられている。凹部(21)の内面には、凹部(10)内におけるリブ(12)と同様の、中央のボス部(22a)から３個の直線部(22b)が放射状に延出するようにしたリブ(22)が設けられている。
【００２２】
凹部(21)の内端壁(21a)におけるリブ(22)の３個の直線部(22b)によって仕切られた各部分には、肘掛け支柱(16)の凸部(18)を背杆(５)の凹部(10)に正規の向きで嵌合したとき、背杆(５)のねじ挿通孔(11)と連通するようにした３個のねじ挿通孔(23)が設けられている。
【００２３】
背杆(５)の凹部(10)の開口部の形状と、肘掛け支柱(16)の凹部(21)の開口部の形状とは同一としてあるので、同一のキャップ(24)をもって、いずれの凹部(10)(21)の開口をも閉塞することができるようになっている。
凹部(10)におけるリブ(12)のボス部(12a)の先端面と、凹部(21)におけるリブ(22)のボス部(22a)の先端面との中央には、ねじ孔(25)がそれぞれ設けられている。
各ねじ孔(25)には、凹部(10)(21)の開口部を閉塞するキャップ(24)の中央に設けた固定ねじ(26)が螺合しうるようになっている。
【００２４】
肘掛け(６)なしで、背杆(５)を支基(３)の側端に取付けるには、図４に示すように、各位置決めピン(13)が、端板(14)の外側面に設けた位置決め孔(15)に嵌合するようにして、背杆(５)の下端部内側面を、端板(14)の外側面に当接し、その外側から、３本の固定ねじ(27)を、ねじ挿通孔(11)に挿通し、かつねじ孔(28)に螺合して締め付ける。それによって、背杆(５)は、強固に支基(３)の側面に固着される。
【００２５】
その後、キャップ(24)を、その内面がリブ(12)に当接するようにして、凹部(10)の開口部に嵌合し、固定ねじ(26)をねじ孔(25)に螺合して締め付ける。それによって、凹部(10)の開口部はキャップ(24)により閉塞され、凹部(10)内のリブ(12)や固定ねじ(27)の頭部等が露呈するのが防止され、外観が向上する。
【００２６】
この状態から、肘掛け(６)を背杆(５)の外側面に取り付けるには、キャップ(24)を、凹部(10)の開口部から取り外した後、３本の固定ねじ(27)のうち１本を残して、他の２本を、背杆(５)および支基(３)から取り外し、図２〜図４に示すように、肘掛け(６)における肘掛け支柱(16)の下端部の凸部(18)を、背杆(５)の凹部(10)に嵌合する。このとき、凸部(18)の溝(19)にリブ(12)の直線部(12a)が嵌合するようにすることによって、肘掛け(６)は、背杆(５)に対して正確に位置決めされる。
【００２７】
次いで、背杆(５)から外した２本の固定ねじ(27)を、残りの固定ねじ(27)が挿通しているねじ挿通孔(11)を除く他のねじ挿通孔(11)と、それに連通する肘掛け(６)のねじ挿通孔(23)とに挿通し、かつ端板(14)のねじ孔(28)に螺合して締め付ける。それによって、肘掛け(６)は、背杆(５)とともに、強固に支基(３)の側面に固着される。
【００２８】
このように、３本の固定ねじ(27)のうち１本を残して、２本の固定ねじ(27)で、肘掛け(６)を、背杆(５)とともに、支基(３)の側面に固着することにより、背杆(５)を支基(３)から外す必要がなく、しかも背杆(５)を支基(３)に位置決めする必要もなくなるという利点がある。
【００２９】
なお、最初から、肘掛け(６)と背杆(５)とを、同時に支基(３)に取り付ける場合は、３本の固定ねじ(27)をもって、肘掛け(６)と背杆(５)とを支基(３)に共締めしてもよい。
また、背杆(５)のみを支基(３)に取り付ける場合と、肘掛け(６)と背杆(５)とを支基(３)に取り付ける場合とで、固定ねじ(27)の長さを異ならせてもよい。
【００３０】
その後、キャップ(24)を、その内面がリブ(22)に当接するようにして、凹部(21)の開口部に嵌合し、固定ねじ(26)をねじ孔(25)に螺合して締め付ける。それによって、背杆(５)のみを支基(３)に取り付ける場合と同様に、凹部(21)の開口部はキャップ(24)により閉塞され、凹部(21)内のリブ(22)や固定ねじ(27)の頭部等が露呈するのが防止され、外観が向上するとともに、固定ねじ(27)の頭部等が外部に突出することがなく、安全である。
【００３１】
また、肘掛け(６)を取り付けたときの肘掛け(６)の凹部(21)の開口部と、肘掛け(６)を取り付けないときの背杆(５)の凹部(10)の開口部とを、同一のキャップ(24)により、閉塞することができるので、部品点数を増やす必要がなく、しかも、肘掛け(６)を装着したものと、しないものとのデザインの統一を図ることができる。
【００３２】
なお、左右の背杆(５)(５)のうちの一方の外側面のみに、肘掛け(６)を取り付けることもある。
【図面の簡単な説明】
【００３３】
【図１】本発明の一実施形態を斜め前方より見た斜視図である。
【図２】同じく、分解斜視図である。
【図３】同じく、背杆を外側方から、また肘掛けを内側方から見た拡大斜視図である。
【図４】同じく、要部の拡大縦断正面図である。
【符号の説明】
【００３４】
(１)脚
(２)座
(３)支基
(４)背凭れ
(５)背杆
(６)肘掛け
(７)キャスタ
(８)脚杆
(９)脚柱
(10)凹部
(10a)内端壁
(11)ねじ挿通孔
(12)リブ
(12a)ボス部
(12b)直線部
(13)位置決めピン
(14)端板
(15)位置決め孔
(16)肘掛け支柱
(17)肘当て
(18)凸部
(19)溝
(20)リブ
(21)凹部
(21a)内端壁
(22)リブ
(22a)ボス部
(22b)直線部
(23)ねじ挿通孔
(24)キャップ
(25)ねじ孔
(26)(27)固定ねじ
(28)ねじ孔
【図１】
2006325931.tif 000003
【図２】
2006325931.tif 000004
【図３】
2006325931.tif 000005
【図４】
2006325931.tif 000006